(57)【要約】【課題】写真、切手、シール等の紙片を保管する場合に、その持ち主から見せられた他人が意外性や娯楽性を感じることができる折り畳みシート体を提供する。【解決手段】本考案に係る折り畳みシート体１は、折り畳み方向が相違するのに伴って相違した面が順次発現する構成を有しており、これら発現面に含まれる一部には写真、シール、切手等の紙片添付用や説明記載用の空白欄２ａ〜２ｆが設けられている。【選択図】　図１
0003097723.tif 000002
【実用新案登録請求の範囲】
【請求項１】
折り畳み方向が相違するのに伴って順次相違した面が発現する構成を有しており、これら発現面の内の少なくとも一部には写真、シール、切手等の紙片添付用や説明記載用の空白欄が設けられていることを特徴とする折り畳みシート体。
【考案の詳細な説明】
【０００１】
【考案の属する技術分野】
本考案は、折り畳みシート体に係り、特には、写真、シール、切手等の紙片を添付したり、それに関連する説明を記載したりする場合に意外性や娯楽性を楽しむことができる折り畳みシート体に関する。
【０００２】
【従来の技術】
近年、特に、若者などの間では、いわゆるプリントクラブなどを利用して自分自身の写真を撮影したり、友人と一緒に集合写真を撮影した後、これらの写真を自分自身で保管したり、互いに交換して楽しむことがしばしば行われてい。
【０００３】
そして、従来は、これらの写真等を保管する際には、小型軽量の手帳等に添付したり、小型の透明ホルダーケース等に収納したりしている。また、収集した写真等が保管された手帳やホルダケース等を知人同士間で見せ合うことも行われている。
【０００４】
このような場合に、写真等に関する手帳等の持ち主自らの感想や情景の説明等を記載しておくと楽しみが増加するとともに、備忘録としても役立つことになる。
【０００５】
【考案が解決しようとする課題】
ところで、収集した写真等を保管した手帳やホルダケース等を知人同士間で見せ合う場合、ただ単に写真等を添付し、かつ、説明文等を記載しているだけでは、見せられた他人にとっては面白みに欠ける。
【０００６】
すなわち、手帳等のページを順にめくるだけでは、それに従って写真や説明等が表示されるに過ぎず、手帳等を見せられた他人にとっては意外性や娯楽性が感じられない。そのため、最近では、より面白みの増した写真等の保管手段を提供することが求められている。
【０００７】
本考案は、このような事情に鑑みて創案されたものであって、写真、切手、シール等の紙片を保管する場合に、その持ち主から見せられた他人が意外性や娯楽性を感じることができる折り畳みシート体を提供することを目的とする。
【０００８】
【課題を解決するための手段】
本考案は、上記の課題を解決するためになされたもので、本考案に係る折り畳みシート体は、折り畳み方向が相違するのに伴って相違した面が順次発現する構成を有しており、これら発現面の内の少なくとも一部には写真、シール、切手等の紙片添付用や説明記載用の空白欄が設けられていることを特徴としている。
【０００９】
【考案の実施の形態】
図１は本考案の実施の形態における折り畳みシート体を示す平面図、図２は折り畳み方向に応じて発現する第１の面を示す平面図であり、図１および図２は同じ折り畳み状態を示している。また、図３は図２に示した折り畳み状態における裏面側を示す平面図、図４は折り畳み方向に応じて表示される第２の面を示す平面図、図５はその第３の面を示す平面図、図６はその第４の面を示す平面図である。
【００１０】
また、図７ないし図１１は、折り畳みシート体の折り畳み手順を示しており、図７および図８は第１の面から第２の面へと変化する途中の折り畳み状態を示す説明図、図９は第２の面から第３の面へと変化する途中の折り畳み状態を示す説明図、図１０は第３の面から第４の面へと変化する途中の折り畳み状態を示す説明図、図１１は第４の面から第１の面へと変化する途中の折り畳み状態を示す説明図である。
【００１１】
この実施の形態に係る折り畳みシート体１は、平面視で略正方形状の２枚のシート２，３を表裏方向に重ね合わせた状態で、第１のシート２と第２のシート３との隅部分（図１中の仮想線で囲まれた部分）４のみが接着剤等を用いて互いに一体的に接合されている。
【００１２】
第１のシート２は、図１および図２に示すように、その中央位置を通る垂直線に沿って切断されて切れ目５が設けられ、また、その上下位置には切れ目５を水平方向に横切って谷折りされる２本の折り目６がそれぞれ形成されている。また、第２のシート３は、図３に示すように、その中央位置を通る水平線に沿って切断された切れ目７が設けられ、また、その左右位置には切れ目７を垂直方向に横切って谷折りされる２本の折り目８がそれぞれ形成されている。なお、ここでは、第２のシート３における上下辺それぞれを稜線９としている。
【００１３】
ここで、図２〜図１１におけるアルファベット符号Ａ〜Ｘは、各シート２，３の切れ目５，７や折り目６，８で囲まれた各領域を明示するために便宜上付したものである。なお、上下逆向きのアルファベット符号Ａ〜Ｘは各領域の上下が逆向きになっていることを意味している。そして、上記の各領域Ａ〜Ｘの内、所要の領域には図柄や、写真、シール、切手等の紙片添付用の空白欄や、説明記載用の空白欄が確保されている。
【００１４】
たとえば、図１および図２に示す第１の面が発現している状態において、その中央の左右の領域等Ｂ，Ｅには写真添付用の空白欄２ｂ，２ｅが、他の領域Ａ，Ｃ，Ｄ，Ｆには説明記載用の空白欄２ａ，２ｃ，２ｄ，２ｆが設けられる。これはあくまで一例であって、折り畳みシート体１を折り畳むのに従って発現する他の領域Ｇ〜Ｚに写真添付用の空白欄や説明記載用の空白欄を設けてもよいのは勿論である。
【００１５】
上記構成の折り畳みシート体１において、最初の折り畳み開始時には、説明の都合上、図２に示す第１の面が発現した状態になっているものとする。
【００１６】
このとき、この折り畳みシート体１における表面側には第１のシート２の表面に領域Ａ〜Ｆの全てが現れている。その際、折り畳みシート体１の裏面側は、図３に示すような状態となっている。
【００１７】
この状態から、図７および図８に示すように、第２のシート３に設けられた折り目８の各々で谷折りし、かつ、切れ目５を境にして第１のシート２の左右を開くような折り畳み方向に沿って折り畳むと、図４に示すように、折り畳みシート体１の表面側には第２の面が発現した状態になる。
【００１８】
この第２の面が発現した状態では、第２のシート３の裏面の中央部分の領域Ｍ，Ｎと、第１のシート２の裏面の左右部分の領域Ｏ，Ｐ，Ｑ，Ｒ，Ｓ，Ｔが現れている。
【００１９】
この第２の面が発現した状態から引き続いて、図９に示すように、第１のシート２に設けられた折り目６の各々で谷折りし、かつ、切れ目７を境にして第２のシート３の中央部分それぞれを上下に開くような折り畳み方向に沿って折り畳むと、図５に示すように、折り畳みシート１体の表面側には第３の面が発現した状態になる。
【００２０】
この第３の面が発現した状態では、第２のシート３の裏面の中央部分の領域等Ｐ，Ｓと、第１のシート２の裏面の左右部分の領域Ｕ，Ｖ，Ｗ，Ｘとが現れている。
【００２１】
次に、この第３の面が発現した状態から、図１０に示すように、第１のシート２に設けられた切れ目５を境にして左右に開くような折り畳み方向に沿って折り畳むと、図６に示すように、折り畳みシート体１の表面側には第４の面が発現した状態になる。
【００２２】
この第４の面が発現した状態では、第２のシート３の裏面の中央部分の領域等Ｈ，Ｋとその左右部分の領域Ｉ，Ｊ，Ｌ，Ｇとが現れている。
【００２３】
さらに、この第４の面が発現した状態から、図１１に示すように、第２のシート３をその稜線９で上下に開くような折り畳み方向に沿って折り畳むと、図２に示した第１の面、つまり、折り畳み開始時と同じ第１の面が表示される。
【００２４】
このように、この実施の形態に係る折り畳みシート体１は、折り畳み方向が相違するのに伴って順次相違した面が発現する。そして、これらの各発現面に含まれる各領域Ａ〜Ｚの内、所要の領域に写真、シール、切手等の紙片添付用や説明記載用の空白欄を設けておけば、折り畳みシート体１を予め決められた折り畳み方向に従って順次折り畳んでいくと、突然に写真等やその説明などが発現するため、意外性や娯楽性が喚起されることになる。
【００２５】
たとえば、この折り畳みシート体１の持ち主が、図１および図２に示した第１の面が発現している状態において、その中央の左右の空白欄２ｂ，２ｅに写真等を添付し、また、他の空白欄２ａ，２ｃ，２ｄ，２ｆにその説明を記載した後、この折り畳みシート体１を図４に示した第２の面が発現した状態してから他人に手渡した場合、これを受け取った他人は、この第２の面が発現した状態から折り畳みシート体１を順次折り畳んでいって、図５に示した第３の面、図６に示した第４の面を経て、図１および図２に示した第１の面が発現した状態になると、突然に写真等と説明とが発現するため、その意外性を楽しむことができる。
【００２６】
また、第１の面から第４の面に至るまでの全てに写真添付用の空白欄や説明記載用の空白欄を設けて連続したストーリー性を持つようにしておけば、持ち主から折り畳みシート体１を受け取った他人が上記したような折り畳み方向に従って折り畳みシート体１を折り畳んでいくと、それに伴ってストーリー性のある場面や説明が次々現れるので、面白みが増加する。
【００２７】
なお、図１２に示すよう、ファスナ２１等によって開閉可能に設けられた外箱２２の内部に複数のシートホルダ２３を積層固定してなる専用の収納ケース２０を予め準備し、この収納ケース２０の各シートホルダ２３にそれぞれ折り畳みシート体１を差し込んで保管するようにすると、各折り畳みシート体１を整理したり、携帯する上で便利である。
【００２８】
【考案の効果】
以上のように、本考案によれば、手帳等に代わる写真等の保管手段として本考案にかかる折り畳みシート体を利用すれば、この折り畳みシート体を持ち主から見せられた他人が意外性や娯楽性を感じる結果、より面白みが増すという効果が得られる。
【図面の簡単な説明】
【図１】本考案の実施の形態における折り畳みシート体の平面図である。
【図２】折り畳み方向に応じて発現する第１の面を示す平面図である。
【図３】図１および図２の裏面側を示す平面図である。
【図４】折り畳み方向に応じて発現する第２の面を示す平面図である。
【図５】折り畳み方向に応じて発現する第３の面を示す平面図である。
【図６】折り畳み方向に応じて発現する第４の面を示す平面図である。
【図７】折り畳みシート体が第１の面から第２の面へと変化する途中の折り畳み状態を示す説明図である。
【図８】折り畳みシート体が第１の面から第２の面へと変化する途中の折り畳み状態を示す説明図である。
【図９】折り畳みシート体が第２の面から第３の面へと変化する途中の折り畳み状態を示す説明図である。
【図１０】折り畳みシート体が第３の面から第４の面へと変化する途中の折り畳み状態を示す説明図である。
【図１１】折り畳みシート体が第４の面から第１の面へと変化する途中の折り畳み状態を示す説明図である。
【図１２】本実施の形態にかかる折り畳みシート体の複数枚を収納する収納ケースの一例を示す斜視図である。
【符号の説明】
１　　折り畳みシート体
２　　第１のシート
２ｂ，２ｅ　　写真、シール、切手等の紙片添付用の空白欄
２ａ，２ｃ，２ｄ，２ｆ　　説明記載用の空白欄
３　　第２のシート
５，７　　切れ目
６，８　　折り目
Ａ〜Ｘ　　領域
【図１】
0003097723.tif 000003
【図２】
0003097723.tif 000004
【図３】
0003097723.tif 000005
【図４】
0003097723.tif 000006
【図５】
0003097723.tif 000007
【図６】
0003097723.tif 000008
【図７】
0003097723.tif 000009
【図８】
0003097723.tif 000010
【図９】
0003097723.tif 000011
【図１０】
0003097723.tif 000012
【図１１】
0003097723.tif 000013
【図１２】
0003097723.tif 000014